(57)【要約】【課題】現場での施工性を向上させたドアシステムを提供する。【解決手段】ドアシステム１０は、隣接する空間を仕切るドアシステム１０であって、板状に形成された吊元パネル５と、吊元パネル５に隣接配置され、吊元パネルに蝶番を介して開閉可能に設けられたドア７と、ドア７の戸先側に隣接配置され、板状に形成された戸先パネル６と、天井面Ｄに固定され、吊元パネル５及び戸先パネル６の上部を係止する上レール１と、床面Ｆに固定され、吊元パネル５及び戸先パネル６の下部を支持する下レール２と、を備えることを特徴とする。【選択図】図１
2017179896.tif 000002
【特許請求の範囲】
【請求項１】
隣接する空間を仕切るドアシステムであって、
板状に形成された吊元パネルと、
該吊元パネルに隣接配置され、該吊元パネルに蝶番を介して開閉可能に設けられたドアと、
該ドアの戸先側に隣接配置され、板状に形成された戸先パネルと、を備えることを特徴とするドアシステム。
【請求項２】
天井面に固定され、前記吊元パネル及び前記戸先パネルの上部を係止する上レールと、
床面に固定され、前記吊元パネル及び前記戸先パネルの下部を支持する下レールと、を備えることを特徴とする請求項１に記載のドアシステム。
【請求項３】
前記吊元パネル及び前記戸先パネルは、
四方枠と、
該四方枠の両面に設けられ、化粧が施された表面材と、を有することを特徴とする請求項１または２に記載のドアシステム。
【請求項４】
前記吊元パネル、前記ドア及び前記戸先パネルの表面は、同一平面上に配置されていることを特徴とする請求項１から３のいずれか一項に記載のドアシステム。
【請求項５】
前記吊元パネル及び前記戸先パネルの前記ドア側の端部の前記ドアが開く側と反対側には、前記ドア側に向かって突出する戸当たり部が設けられ、
前記ドアの前記吊元パネル側及び前記戸先パネル側の端部には、前記戸当たり部に対応する切欠き部が設けられていることを特徴とする請求項１から４のいずれか一項に記載のドアシステム。
【発明の詳細な説明】
【技術分野】
【０００１】
本発明は、ドアシステムに関するものである。
【背景技術】
【０００２】
従来から、マンション等の集合住宅や戸建住宅等においては、隣接する居室等の空間の間を出入り可能とする開きドアが間仕切り等の壁に設けられる。例えば、特許文献１に記載のように、壁に縦枠及び上枠等のドア枠が固定され、縦枠に蝶番等の開閉具を介してドア本体が取り付けられている。
【先行技術文献】
【特許文献】
【０００３】
【特許文献１】特開２０１４−１９６６０７号公報
【発明の概要】
【発明が解決しようとする課題】
【０００４】
上記の特許文献１に記載されたドアでは、施工現場で、間仕切り壁にドア枠をビス等の固定具で固定して、ドア枠に戸当たりを取り付けてから、ドア枠に蝶番を介してドアを設置する。このため、ドア枠を間仕切り壁に固定したり、戸当たりをドア枠に取り付けたり等の種々の木建具工事が生じるため、現場での施工に時間がかかるという問題点がある。
【０００５】
そこで、本発明は、上記事情に鑑みてなされたものであり、現場での施工性を向上させたドアシステムを提供する。
【課題を解決するための手段】
【０００６】
上記目的を達成するために、本発明は以下の手段を採用している。
すなわち、本発明に係るドアシステムは、隣接する空間を仕切るドアシステムであって、板状に形成された吊元パネルと、該吊元パネルに隣接配置され、該吊元パネルに蝶番を介して開閉可能に設けられたドアと、該ドアの戸先側に隣接配置され、板状に形成された戸先パネルと、を備えることを特徴とする。
【０００７】
このように構成されたドアシステムでは、予め工場等で吊元パネル、ドア及び戸先パネルを製造しておけば、施工現場で、当該吊元パネル、ドア及び戸先パネルを運搬してきて、隣接する空間の間に設置するだけで、空間の間の出入りを可能とするドア及び空間の間を仕切る壁を設置することができる。よって、ドア枠や戸当たり等の木製品を空間の間を仕切る壁等に取り付ける工事が省略され、現場での施工性が向上される。
【０００８】
また、本発明に係るドアシステムは、天井面に固定され、前記吊元パネル及び前記戸先パネルの上部を係止する上レールと、床面に固定され、前記吊元パネル及び前記戸先パネルの下部を支持する下レールと、を備えることが好ましい。
【０００９】
このように構成されたドアシステムでは、天井面に上レールを固定し、床面に下レールを固定し、吊元パネル及び戸先パネルの上部を上レールに係止させ、吊元パネル及び戸先パネルの下部を下レールに支持させれば、吊元パネル及び戸先パネルが、隣接する空間の間に設置される。よって、ドアの幅方向両側を支持する枠及び空間の間を仕切るパネルの機能を有する吊元パネル及び戸先パネルを、容易に設置することができる。
【００１０】
また、本発明に係るドアシステムは、前記吊元パネル及び前記戸先パネルは、四方枠と、該四方枠の両面に設けられ、化粧が施された表面材と、を有していてもよい。
【００１１】
このように構成されたドアシステムでは、吊元パネル及び戸先パネルは、内部に四方枠を有するため、吊元パネル及び戸先パネル自体で所定の剛性を有する。また、四方枠の両面には化粧が施された表面材が設けられ、表面材自体で化粧性を有するため、クロス等の壁紙を貼る工事が省略され、施工時間を短縮することができる。
【００１２】
また、本発明に係るドアシステムは、前記吊元パネル、前記ドア及び前記戸先パネルの表面は、同一平面上に配置されていてもよい。
【００１３】
このように構成されたドアシステムでは、吊元パネル、ドア及び戸先パネルの表面は同一平面上に配置されているため、ドアの厚み方向の両側で隣接する空間側への凹凸がなく、美観を向上させることができる。
【００１４】
また、本発明に係るドアシステムは、前記吊元パネル及び前記戸先パネルの前記ドア側の端部の前記ドアが開く側と反対側には、前記ドア側に向かって突出する戸当たり部が設けられ、前記ドアの前記吊元パネル側及び前記戸先パネル側の端部には、前記戸当たり部に対応する切欠き部が設けられていてもよい。
【００１５】
このように構成されたドアシステムでは、吊元パネル及び戸先パネルのドア側の端部には戸当たり部が設けられ、当該戸当たり部と対応する切欠き部がドアに設けられている。よって、ドアが閉まる際に、ドアの切欠き部が吊元パネル及び戸先パネルの戸当たり部に当たって止まるため、ドアが閉まる方向に行き過ぎて壁等に衝突することが抑制される。
【発明の効果】
【００１６】
本発明に係るドアシステムによれば、現場での施工性を向上させることができる。
【図面の簡単な説明】
【００１７】
【図１】本発明の一実施形態に係るドアシステムを示す正面図である。
【図２】図１のＡ−Ａ断面図である。
【図３】図１のＢ−Ｂ断面図である。
【図４】図１のＣ−Ｃ断面図である。
【発明を実施するための形態】
【００１８】
本発明の一実施形態に係るドアシステムについて、図面を用いて説明する。
図１は、本発明の一実施形態に係るドアシステムが設けられた壁システムを示す正面図である。図２は、図１のＡ−Ａ断面図である。図３は、図１のＢ−Ｂ断面図である。図４は、図１のＣ−Ｃ断面図である。
【００１９】
図１から図４に示すように、壁システム１００は、例えば、マンションやアパート等の集合住宅に設置され、隣接する居室等の空間Ｐ１，Ｐ２を仕切るものである。なお、壁システム１００は、戸建等の一般の住宅等にも設置可能である。
【００２０】
本実施形態では、図１に示すように、壁システム１００は、対向する壁部Ｗ間に直交して設けられている。壁システム１００は、上レール１と、下レール２と、２枚の間仕切りパネル３と、吊元パネル５と、戸先パネル６と、ドア７と、を備えている。本実施形態では、上レール１と、下レール２と、吊元パネル５と、戸先パネル６と、ドア７とが、ドアシステム１０を構成している。
【００２１】
図１及び図４に示すように、上レール１は、天井面Ｄに固定され、壁部Ｗ間に連続して配置されている。換言すると、２枚の間仕切りパネル３、吊元パネル５、ドア７及び戸先パネル６の上側に連続して配置されている。
【００２２】
上レール１は、断面視矩形状に形成され、例えば木材や鋼材等で構成され、ビス等の固定具１Ｘで天井面Ｄに固定されている。本実施形態では、上レール１の断面寸法は、例えば幅５０ｍｍ、高さ６０ｍｍとされている。
【００２３】
間仕切りパネル３、吊元パネル５及び戸先パネル６が設置される箇所では、上レール１の下面１Ｂに、断面視矩形状の上部レール部１１が設けられている。上部レール部１１は、上レール１に接着や固定具等により固定されている。なお、上レール１の下面１Ｂに凹部（不図示。以下同じ。）が設けられ、断面視矩形状の上部レール部が当該凹部に嵌め込まれて、上部レール部が上レール１の下面１Ｂから下方に突出するように設けられていてもよい。
【００２４】
下レール２は、２枚の間仕切りパネル３、吊元パネル５及び戸先パネル６の下側に配置されている。
【００２５】
下レール２は、床面Ｆに沿って配置され断面視矩形状に形成された下部支持部２１と、下部支持部２１の上面２１Ｕに設けられ断面視矩形状に形成された下部レール部２２と、を有している。
【００２６】
下部支持部２１及び下部レール部２２は、例えば木材や鋼材等で構成され、下部レール部２２の上からビス等の固定具２２Ｘで下部支持部２１を貫通して床面Ｆに固定されている。本実施形態では、下部支持部２１の断面寸法は、例えば幅５０ｍｍ、高さ３５ｍｍとされている。なお、下部支持部２１の上面２１Ｕに凹部（不図示。以下同じ。）が設けられ、断面視矩形状の下部レール部が当該凹部に嵌め込まれて、下部レール部が下部支持部２１の上面２１Ｕから上方に突出するように設けられていてもよい。
【００２７】
図１及び図２に示すように、間仕切りパネル３は、板状に形成されている。間仕切りパネル３は、矩形状に形成された四方枠３０と、四方枠３０の内部に設けられた芯材部４１と、四方枠３０の両面に設けられた表面材４２と、を有している。本実施形態では、間仕切りパネル３の寸法は、例えば幅８５０ｍｍ、高さ２４１５ｍｍ、厚さ６０ｍｍとされている。
【００２８】
四方枠３０は、上桟３１と、下桟３４と、上桟３１の端部と下桟３４の端部とを鉛直方向に連結する縦桟３７と、を有している。
【００２９】
上桟３１及び下桟３４は、図４に示す構成と同様である。図４に示すように、上桟３１は、断面視矩形状に形成され、上面３１Ｕには下方に凹む上部凹溝３２が形成されている。上部凹溝３２は、上桟３１の延在方向に沿って形成されている。
【００３０】
上部凹溝３２には、上レール１の上部レール部１１が嵌め込まれている。上桟３１の上面３１Ｕと上レール１の下面１Ｂとの間には、隙間３１Ｓが設けられている。
【００３１】
下桟３４は、断面視矩形状に形成され、下面３４Ｂには上方に凹む下部凹溝３５が形成されている。下部凹溝３５は、下桟３４の延在方向に沿って形成されている。
【００３２】
下部凹溝３５の下面には、滑り材３６が設けられている。滑り材３６は、下桟３４の長手方向に離間して複数設けられている。下部凹溝３５には下レール２の下部レール部２２が嵌め込まれ、滑り材３６が下部レール部２２の上面に当接している。
【００３３】
図２に示すように、縦桟３７は、断面視矩形状に形成され、端面には内方に向かって凹む側部凹溝３９が形成されている。側部凹溝３９は、縦桟３７の延在方向に沿って形成されている。
【００３４】
側部凹溝３９と壁部Ｗとの間には、やとい実４６が嵌め込まれている。やとい実４６は、ビス等の固定具（不図示）により壁部Ｗに固定されていてもよい。隣接する間仕切りパネル３の両側部凹溝３９間にも、やとい実４６が嵌め込まれている。
【００３５】
図１に示すように、隣接する間仕切りパネル３間において、一方の縦桟３７の側部凹溝３９（図２参照）の上下端部には、正面視Ｌ字状の位置決めアングル４７が設けられている。上端部に設けられた位置決めアングル４７は縦桟３７及び天井面Ｄにビス等の固定具４７Ｘで固定され、下端部に設けられた位置決めアングル４７は縦桟３７及び床面Ｆにビス等の固定具で固定されている。
【００３６】
図４に示すように、芯材部４１として、例えば、紙や樹脂の材料でハニカム形状に形成されたハニカムコアを採用することができる。
【００３７】
表面材４２は、化粧が施された板材であり、例えばオレフィンシートが貼られた化粧版を採用することができる。
【００３８】
図２及び図４に示すように、吊元パネル５及び戸先パネル６は、板状に形成されている。吊元パネル５及び戸先パネル６は、それぞれ矩形状に形成された四方枠３０と、四方枠３０の内部に設けられた芯材部４１と、四方枠３０の両面に設けられた表面材４２と、を有している。本実施形態では、吊元パネル５及び戸先パネル６の寸法は、例えば幅２５０ｍｍ、高さ２３９５ｍｍ、厚さ６０ｍｍとされている。
【００３９】
四方枠３０は、上桟３１と、下桟３４と、上桟３１の端部と下桟３４の端部とを鉛直方向に連結する縦桟３７，５０，６０（吊元パネル５の場合は縦桟３７，５０、戸先パネル６の場合は縦桟３７，６０）と、を有している。
【００４０】
吊元パネル５及び戸先パネル６の上桟３１、下桟３４及び縦桟３７の構成は、間仕切りパネル３の上桟３１、下桟３４及び縦桟３７の構成と同様であり、説明を省略する。
【００４１】
図２に示すように、吊元パネル５において、縦桟５０は、内側桟部５１と、内側桟部５１と隣接して内側桟部５１よりも吊元パネル５の幅方向の外側に配置された外側桟部５２と、を有している。内側桟部５１は、断面視矩形状に形成されている。外側桟部５２は、断面視矩形状に形成された本体部５３と、本体部５３から吊元パネル５の幅方向の外側に突出する戸当たり部５４と、を有している。戸当たり部５４は、見込み方向において、ドア７が開く側Ｑと反対側に設けられている。本体部５３と戸当たり部５４とは、一体に形成されている。
【００４２】
戸先パネル６において、縦桟６０は、断面視矩形状に形成された本体部６３と、本体部６３から戸先パネル６の幅方向の外側に突出する戸当たり部６４と、を有している。戸当たり部６４は、見込み方向において、ドア７が開く側Ｑと反対側に設けられている。本体部６３と戸当たり部６４とは、一体に形成されている。
【００４３】
吊元パネル５及び戸先パネル６の芯材部４１及び表面材４２の構成は、間仕切りパネル３の芯材部４１及び表面材４２の構成と同様であり、説明を省略する。
【００４４】
図３に示すように、ドア７は、板状に形成されている。ドア７は、矩形状に形成された四方枠７０と、四方枠７０の両面に設けられた表面材８０と、を有している。
【００４５】
四方枠７０は、上桟７１と、下桟７４と、上桟７１の端部と下桟７４の端部とを鉛直方向に連結する縦桟（不図示。以下同じ。）と、を有している。
【００４６】
上桟７１は、断面視矩形状に形成された上側桟部７２と、断面視矩形状に形成された下側桟部７３と、を有している。上側桟部７２と下側桟部７３とは、鉛直方向に隣接配置されている。上桟７１と上レール１との間には、隙間７１Ｓが設けられている。なお、上桟７１は、上側桟部と下側桟部とに分割されておらず、一体で構成されていてもよい。下桟７４は、断面視矩形状に形成されている。
【００４７】
図２に示すように、ドア７の幅方向の両端面は、それぞれ吊元パネル５及び戸先パネル６の端面と対応した形状とされている。つまり、ドア７の端面には、幅方向の内側に向かって凹む切欠き部７８が形成されている。切欠き部７８には、吊元パネル５及び戸先パネル６の戸当たり部５４，６４が配置されている。
【００４８】
吊元パネル５の縦桟５０の本体部５３の端面及びドア７の縦桟の端面には、それぞれ第一羽根部８１及び第二羽根部８２が埋め込まれている。これら第一羽根部８１及び第二羽根部８２は、鉛直方向を向く軸部（不図示。以下同じ。）を中心として回動可能に連結されている。この第一羽根部８１、第二羽根部８２及び軸部により蝶番８５が構成されている。蝶番８５により、ドア７は吊元パネル５に対して開閉可能に支持されている。
【００４９】
間仕切りパネル３、吊元パネル５、ドア７及び戸先パネル６の表面は、それぞれ見込み方向に凹凸がない構成とされている。これにより、間仕切りパネル３、吊元パネル５、ドア７及び戸先パネル６の表面は、同一面上に配置されている。
【００５０】
次に、上記の壁システム１００の施工方法について説明する。
まず、予め、吊元パネル５の縦桟５０及びドア７の縦桟に、それぞれ蝶番８５の第一羽根部８１及び第二羽根部８２を固定しておく。
【００５１】
次に、上レール１を天井面Ｄに固定具１Ｘで固定する。この際に、間仕切りパネル３、吊元パネル５及び戸先パネル６が設置される箇所では、上レール１の下面に、上部レール部１１を固定する。
【００５２】
また、間仕切りパネル３、吊元パネル５及び戸先パネル６が設置される箇所に、下レール２を床面Ｆに固定具２２Ｘで固定する。
【００５３】
次に、下レール２の端部、つまりドア７が設けられる開口側から間仕切りパネル３を、上部凹溝３２及び下部凹溝３５にそれぞれ、上レール１の上部レール部１１及び下レール２の下部レール部２２を嵌め込み、壁部Ｗと当接する位置までスライドさせる。この際に、間仕切りパネル３の下端部には滑り材３６が設けられているため、スライドさせやすい。
【００５４】
間仕切りパネル３の側部凹溝３９にやとい実４６を嵌め込み、間仕切りパネル３を壁部Ｗに当接させる。そして、間仕切りパネル３の反対側の側部凹溝３９の上下端部に位置決めアングル４７を配置して、それぞれ天井面Ｄ、床面Ｆ及び縦桟３７に固定具４７Ｘで固定する。これにより、間仕切りパネル３の位置が決められ、鉛直方向及び幅方向にずれることがない。また、間仕切りパネル３の上部凹溝３２及び下部凹溝３５は、上レール１の上部レール部１１及び下レール２の下部レール部２２に嵌め込まれているため、間仕切りパネル３は厚さ方向への移動が規制されている。
【００５５】
次に、同様に、もう１枚の間仕切りパネル３及び吊元パネル５を、ドア７が設けられる開口側からスライドさせる。隣接する間仕切りパネル３間、及び間仕切りパネル３と吊元パネル５との間において、それぞれ側部凹溝３９にやとい実４６を嵌め込む。
【００５６】
また、同様に、戸先パネル６を、ドア７が設けられる開口側からスライドさせる。戸先パネル６の側部凹溝３９にやとい実４６を嵌め込み、戸先パネル６を壁部Ｗに当接させる。
【００５７】
次に、吊元パネル５の第一羽根部８１とドア７の第二羽根部８２とを軸部で連結して、吊元パネル５にドア７を吊ることで、壁システム１００は完成する。
【００５８】
なお、間仕切りパネル３、吊元パネル５及び戸先パネル６の上面３１Ｕと上レール１の下面１Ｂとの間の隙間３１Ｓの高さが十分にある場合には、これら間仕切りパネル３、吊元パネル５及び戸先パネル６の上部凹溝３２に上レール１の上部レール部１１を嵌め込み、間仕切りパネル３、吊元パネル５及び戸先パネル６を上方に持ち上げた後に、下部凹溝３５に下部レール部２２を嵌め込んで下方に移動させて、間仕切りパネル３、吊元パネル５及び戸先パネル６を上レール１に係止及び下レール２に支持させてもよい。
【００５９】
このように構成された壁システム１００では、予め工場等で吊元パネル５、ドア７及び戸先パネル６を製造しておけば、施工現場で、当該吊元パネル５、ドア７及び戸先パネル６を運搬してきて、隣接する空間Ｐ１，Ｐ２の間に設置するだけで、空間Ｐ１，Ｐ２の間の出入りを可能とするドア７及び空間Ｐ１，Ｐ２の間を仕切る壁を設置することができる。よって、ドア枠や戸当たり等の木製品を空間Ｐ１，Ｐ２の間を仕切る壁等に取り付ける工事が省略され、現場での施工性が向上される。
【００６０】
また、天井面Ｄに上レール１を固定し、床面Ｆに下レール２を固定し、吊元パネル５及び戸先パネル６の上部を上レール１に係止させ、吊元パネル５及び戸先パネル６の下部を下レール２に支持させれば、吊元パネル５及び戸先パネル６が、隣接する空間Ｐ１，Ｐ２の間に設置される。よって、ドア７の幅方向両側を支持する枠及び空間Ｐ１，Ｐ２の間を仕切るパネルの機能を有する吊元パネル５及び戸先パネル６を、容易に設置することができる。
【００６１】
また、吊元パネル５及び戸先パネル６は、内部に四方枠３０を有するため、吊元パネル５及び戸先パネル６自体で所定の剛性を有する。また、四方枠３０の両面には化粧が施された表面材４２が設けられているため、表面材４２自体で化粧性を有するため、クロス等の壁紙を貼る工事が省略され、施工時間を短縮することができる。
【００６２】
また、吊元パネル５、ドア７及び戸先パネル６の表面は同一平面上に配置されているため、ドア７の両側で隣接する空間側への凹凸がなく、美観を向上させることができる。
【００６３】
また、吊元パネル５及び戸先パネル６のドア７側の端部には戸当たり部５４，６４が設けられ、当該戸当たり部５４，６４と対応する切欠き部７８がドア７に設けられている。よって、ドア７が閉まる際に、ドア７の切欠き部７８が吊元パネル５及び戸先パネル６の戸当たり部５４，６４に当たって止まるため、ドア７が閉まる方向に行き過ぎて壁等に衝突することが防止される。
【００６４】
なお、上述した実施の形態において示した組立手順、あるいは各構成部材の諸形状や組み合わせ等は一例であって、本発明の主旨から逸脱しない範囲において設計要求等に基づき種々変更可能である。
【符号の説明】
【００６５】
１…上レール
２…下レール
３…間仕切りパネル
５…吊元パネル
６…戸先パネル
１０…ドアシステム
３０…四方枠
４２…表面材
５４，６４…戸当たり部
７８…切欠き部
８５…蝶番
１００…壁システム
Ｄ…天井面
Ｆ…床面
Ｐ１，Ｐ２…空間
Ｗ…壁部
【図１】
2017179896.tif 000003
【図２】
2017179896.tif 000004
【図３】
2017179896.tif 000005
【図４】
2017179896.tif 000006